(57)【要約】      （修正有）【課題】捕球したときの感触を良好にし、全体の重量も軽減可能なグローブを提供する。【解決手段】掌側外皮と、甲側外皮と、甲側内皮１４とを備え、甲側内皮１４を掌側外皮１の内面に縫製することで、甲側内皮１４の内面と掌側外皮の内面との間に指を挿入可能な指挿入空間部を構成した。好ましくは、指挿入空間部は、人差し指、中指、薬指を挿入する空間部である。好ましくは、掌側外皮の外面側は、親指パーツ１２を更に外面側に縫製する第１エリアと、小指パーツ１３を更に外面側に縫製する第２エリアと、残りの第３エリアにより構成されている。好ましくは、掌側外皮の受球面にパッチ１１を密着させて取り付けている。【選択図】図６
0003137696.tif 000002
【実用新案登録請求の範囲】
【請求項１】
掌側外皮と、甲側外皮と、甲側内皮とを備え、
甲側内皮を掌側外皮の内面に縫製することで、甲側内皮の内面と掌側外皮の内面との間に指を挿入可能な指挿入空間部を構成したグローブにおいて、
掌側外皮の受球部を含む領域にパッチを密着させて取り付けていることを特徴とするグローブ。
【請求項２】
パッチは、人差し指、中指、薬指が挿入される領域に対応した、第１領域、第２領域、第３領域を有することを特徴とする請求項１に記載のグローブ。
【請求項３】
第１領域と第２領域の間、第２領域と第３領域の間に切り込みが形成されることを特徴とする請求項２に記載のグローブ。
【請求項４】
パッチと甲側外皮とを縫製していることを特徴とする請求項１〜３のいずれか１項に記載のグローブ。
【請求項５】
パッチの受球部に相当する箇所には切り込みが入れられている請求項１〜４のいずれか１項に記載のグローブ。
【請求項６】
前記指挿入空間部は、人差し指、中指、薬指を挿入する空間部である請求項１〜５のいずれか１項に記載のグローブ。
【請求項７】
掌側外皮の外面側は、親指パーツを更に外面側に縫製する第１エリアと、小指パーツを更に外面側に縫製する第２エリアと、残りの第３エリアにより構成されている請求項１〜６のいずれか１項に記載のグローブ。
【請求項８】
前記第３エリアは、手指が挿入される挿入口の掌側領域を形成していることを特徴とする請求項７に記載のグローブ。
【考案の詳細な説明】
【技術分野】
【０００１】
この考案はグローブに関し、詳しくは野球に用いられるグローブに関する。
【背景技術】
【０００２】
野球などに用いられるグローブの一般的な構成を図１９に示す。グローブは、掌側外皮１００と甲側外皮１０１により外観側の外袋Ａを構成し、掌側内皮１０２と甲側内皮１０３により内部に収容される内袋Ｂが構成される。外袋Ａの手首側には指挿入口１０４が形成され、ここから内袋Ｂを挿入し、紐で縫製することでグローブが完成する。また、内袋Ｂの人差し指、中指、薬指が挿入される部分には、掌側内皮１０２の外面側にフェルトの芯が取り付けられている。
【０００３】
このようなグローブで球を捕球するときは、直接ボールをキャッチする受球面と掌の間には、掌側外皮、掌側内皮、掌側外皮と掌側内皮の間に形成される空間部が介在することになる。そのために、キャッチングのときに手になじみにくく、捕球したときの感触が競技者にとって納得できるものではなかった。また、掌から受球面まで外皮と内皮の２枚が存在するため、必然的にグローブの重さが重くなっていた。
【０００４】
また、捕球時におけるフィット感は競技者により好みが異なるものであり、これを競技者の好みに応じて変えることができることが好ましい。
【考案の開示】
【考案が解決しようとする課題】
【０００５】
本考案は上記実情に鑑みてなされたものであり、その課題は、捕球したときの感触を良好にし、全体の重量も軽減可能なグローブを提供することである。更に、捕球時におけるフィット感を競技者の好みに応じて変えることが可能なグローブを提供することである。
【課題を解決するための手段】
【０００６】
上記課題を解決するため本考案に係るグローブは、
掌側外皮と、甲側外皮と、甲側内皮とを備え、
甲側内皮を掌側外皮の内面に縫製することで、甲側内皮の内面と掌側外皮の内面との間に指を挿入可能な指挿入空間部を構成したグローブにおいて、
掌側外皮の受球部を含む領域にパッチを密着させて取り付けていることを特徴とする。
【０００７】
この構成のグローブによれば、掌側外皮の内面に甲側内皮を縫製するようにし、甲側内皮の内面と掌側外皮の内面の間に、手の指を挿入可能な指挿入空間部が形成される。すなわち、従来のグローブにおいて使用されていた掌側内皮が使用されていない。従って、挿入された掌と受球面の間には、掌側外皮が存在するだけである。すなわち、掌側内皮がないため、捕球のときに掌への密着度が増して、手になじみやすくなる。また、掌側内皮が存在しないので、グローブ全体の重量も軽減することができる。
【０００８】
更に、受球部を含む領域にパッチを取り付けることで、捕球時のフィット感などを変えることができ、個々の競技者の好みに合った捕球領域をグローブに形成することができる。また、パッチは受球部に密着させて取り付けるので、捕球感を維持しながらも耐久性を向上させることができる。
【０００９】
本考案に係るパッチは、人差し指、中指、薬指が挿入される領域に対応した、第１領域、第２領域、第３領域を有することが好ましい。
【００１０】
これにより、捕球のときの掌への密着度が増して、手になじみやすくなると共に、パッチの素材、厚さ、硬さ、などにより、捕球時のフィット感を個々の好みに応じて変えやすくなる。
【００１１】
上記において、第１領域と第２領域の間、第２領域と第３領域の間に切り込みが形成されることが好ましい。
【００１２】
かかる切り込みの長さを変えることで、柔軟性を調整することが可能になる。切り込みを長くすれば、その分、柔軟性が向上し、競技者の好みに応じて切り込み長さを設定すればよい。また、切り込みの長さを短くすれば受球部が大きくなるため、切り込みの長さを調節することで、適切な大きさの受球部を形成することができる。これにより、グローブ全体を大きくしなくても、受球部のみを大きくすることができる。
【００１３】
本考案において、パッチと甲側外皮とを縫製していることが好ましい。
【００１４】
この構成によると、パッチを若干大きめに作成し、甲側外皮と縫製することでパッチが取り付けられる。これにより、パッチが大きくても確実に外皮に結合させることができる。
【００１５】
本考案において、パッチの受球部に相当する箇所には切り込みが入れられていることが好ましい。
【００１６】
かかる切り込みを入れることで、パッチの屈曲性が増し、捕球時のフィット感を更に向上させることができる。切り込みは、線、点など任意の形状にすることができ、競技者の好みに合った捕球領域をグローブに形成しやすくなる。
【００１７】
本考案に係る指挿入空間部は、人差し指、中指、薬指を挿入する空間部であることが好ましい。
【００１８】
捕球を確実にするためには、親指と小指が挿入される空間部に関しては、掌側内皮と掌側外皮の２枚が存在することが好ましい。そこで、人差し指、中指、薬指を挿入する空間部に関して掌側内皮をなくすことで、捕球のときの掌への密着度が増して、手になじみやすくなると共に、確実に捕球できるという本来の機能も維持することができる。
【００１９】
本考案において、掌側外皮の外面側は、親指パーツを更に外面側に縫製する第１エリアと、小指パーツを更に外面側に縫製する第２エリアと、残りの第３エリアにより構成されていることが好ましい。
【００２０】
この構成によると、親指部分と小指部分については、従来どおり外皮と内皮の２枚構成となる。それ以外の、人差し指、中指、薬指に関しては、１枚構成となる。これにより、捕球のときの掌への密着度が増して、手になじみやすくなると共に、捕球感を向上させることができる。
【００２１】
上記において、第３エリアは、手指が挿入される挿入口の掌側領域を形成していることが好ましい。
【００２２】
通常のグローブは、親指パーツが挿入口の掌側領域を形成しているが、蒸気のように掌側外皮の第３エリアにより、挿入口の掌側領域を形成することで、紐により結合する箇所を減らすことができる。
【考案を実施するための最良の形態】
【００２３】
本考案に係るグローブの好適な実施形態を図面を用いて説明する。図１は、本実施形態に係るグローブを掌側からみた外観図である。図２は、グローブを甲側から見た外観図である。
【００２４】
＜グローブの構成＞
このグローブは、図１に示すように、受球面側の掌側外皮１と甲側外皮２とが縫製されて外袋が構成される。このグローブは、親指部３と、人差し指部４と、中指部５と、薬指部６と、小指部７とを有し、親指部３と人差し指部４との間にはウェブ８が連結されている。また、掌側の中央には受球面１０が設けられる。また、受球面１０には、パッチ１１が縫製されている。
【００２５】
グローブの基本的な外観構成は従来のグローブと大きく変わらない。ただし、従来と異なりグローブ内部の構成は異なっており、掌側内皮に相当する部材はなく、掌側外皮に相当する部材のみが設けられる。また、パッチ１１を設けている点も従来と異なる。これらの点を以下説明する。
【００２６】
図３は、掌側外皮１を外面側（受球面側）から見た平面図であり、図４は、掌側外皮１の外面側に縫製される親指パーツ１２と小指パーツ１３とを示す平面図である。図５は、図３に示す掌側外皮１を内面側から見た平面図である。図６は、掌側外皮１に親指パーツ１２と小指パーツ１３と甲側内皮１４とを縫製した状態を示す外面側から見た平面図である。図７は、図６に示す部材を内面側から見た平面図である。
【００２７】
図３に示すように、掌側外皮１は、人差し指部形成領域１ａ、中指部形成領域１ｂ、薬指部形成領域１ｃを有しており、その外面側は、図１に示す外観に表れる。これらの形成領域には、紐を通すための孔１ｄが適宜開けられている。
【００２８】
また、親指部形成領域１ｅと小指部形成領域１ｆも他の形成領域１ａ，１ｂ，１ｃと一体形成されているが、これらは外観には表れない。図６に示すように、親指パーツ１２と小指パーツ１３とを掌側外皮１に縫製すると、親指部形成領域１ｅと小指部形成領域１ｆは、これらのパーツの内側に位置する。なお、親指パーツ１２は、糸１６により掌側外皮１に縫製され、小指パーツ１３は、糸１７により掌側外皮１に縫製される。
【００２９】
パッチ１１は、人差し指部形成領域１ａ、中指部形成領域１ｂ、薬指部形成領域１ｃに重なるように、第１領域１１ａ、第２領域１１ｂ、第３領域１１ｃが一体形成され、受球面に相当する箇所に受球領域１１ｄが形成される。パッチ１１は、掌側外皮１よりも厚さの薄い皮で製作され、掌側外皮１に密着するように縫製される。パッチ１１は、糸１５により掌側外皮１に対して密着した状態で縫製される。
【００３０】
第１領域１１ａ、第２領域１１ｂ、第３領域１１ｃは、人差し指部形成領域１ａ、中指部形成領域１ｂ、薬指部形成領域１ｃの全域に存在するのではなく、指長さが短くなるような態様で形成される。
【００３１】
図５に示すように、掌側外皮１の内面側には、親指掛け１８が糸１９により縫製されている。親指掛け１８の先端部１８ａは二股に分かれており、捕球しやすいように親指の位置を安定させることができる。
【００３２】
図６に示すように、パッチ１１の親指根元側と、親指パーツ１２との間にはスリット状隙間１ｇが形成されており、この領域は掌側外皮１のみが存在する領域である。また、パッチ１１の小指根元側と、小指パーツ１３との間にもスリット状隙間１ｈが形成されており、この領域も掌側外皮１のみが存在する領域である。
【００３３】
従って、このスリット状隙間１ｇ，１ｈの部分は屈曲性がよいため、捕球時に親指部３と小指部７を曲げやすくなり、捕球動作をしやすくなる。なお、このスリット状隙間１ｇ，１ｈは、必ずしも設けなくてもよい。例えば、パッチ１１が部分的に親指パーツ１２や小指パーツ１３と重なるように取り付けてもよい。
【００３４】
図７に示すように、甲側内皮１４は掌側外皮１の内面側に縫製される。甲側内皮１４を縫製することで、人差し指挿入部１４ａ、中指挿入部１４ｂ、薬指挿入部１４ｃ、小指挿入部１４ｄ、親指挿入部１４ｅ（これらは指挿入空間部に相当する）が夫々形成される。甲側内皮１４は、指触りのよい適宜の素材により製作することができる。
【００３５】
人差し指挿入部１４ａ、中指挿入部１４ｂ、薬指挿入部１４ｃの長さは、パッチ１１の第１領域１１ａ、第２領域１１ｂ、第３領域１１ｃの長さとほぼ同じに設定されている。小指挿入部１４ｄ、親指挿入部１４ｅの長さは、親指部形成領域１ｅと、小指部形成領域１ｆの長さとほぼ同じになるように設定されている。人差し指挿入部１４ａ、中指挿入部１４ｂ、薬指挿入部１４ｃについては、パッチ１１と一緒に糸１５により縫製される。
【００３６】
以上のように説明してきたグローブによれば、指挿入空間部のうち、人差し指挿入部１４ａ、中指挿入部１４ｂ、薬指挿入部１４ｃについては、掌側外皮１の内面側と、甲側内皮１４の内面側により、袋状の指挿入部が形成されることになる。
【００３７】
従って、挿入された掌及び指と受球面１０の間には、掌側外皮１及びパッチ１１が存在するだけである。すなわち、厚みが薄くなっており、捕球のとき手になじみやすくなり、捕球したときの感触が従来よりも向上する。パッチ１１は掌側外皮１に密着して一体感を有しているため、捕球時における感触を低下させるものではない。
【００３８】
本実施形態においては、パッチ１１が設けられているが、このパッチ１１は必ずしも必要がない。パッチ１１を設けない場合は、挿入された掌と受球面１０の間には、掌側外皮１のみが存在する形となり、捕球したときの感触が向上する。ただし、パッチ１１を設けることでグローブの耐久性を向上させることができる。
【００３９】
＜グローブの製造工程＞
次に、本考案に係るグローブの製造工程に関して簡単に説明する。まず、図３に示す掌側外皮１、親指パーツ１２、小指パーツ１３、パッチ１１を個別に製作する。この製作に際し、掌側外皮１の人差し指部形成領域１ａ、中指部形成領域１ｂ、薬指部形成領域１ｃは、外観に現れる形であるから、それに対応したサイズになるように製作される。また、親指部形成領域１ｅと小指部形成領域１ｆは、グローブ内部に収容される部分であるから、親指パーツ１２や小指パーツ１３よりも小さめのサイズになるように製作される。以上のような部材を用いて、図６、図７に示すような形態まで結合する。図６、図７に示す部材を説明の便宜上、掌側外皮ユニットと称する。
【００４０】
上記において、親指部形成領域１ｅは第１エリア、小指部形成領域１ｆは第２エリア、残りの領域は第３エリアに対応する。
【００４１】
次に、甲側外皮２を用意する。図８は甲側外皮２を示す図であり、図８（ａ）に示すように、複数のパーツ２ａを縫製することで（ｂ）に示すような形状に製作される。この甲側外皮２に関しては、従来と同じである。図８に示すのは、甲側外皮２を外観側（外面側）からみた平面図である。
【００４２】
次に、図８に示す甲側外皮２を図７に示す掌側外皮ユニットと合体する。図９（ａ）は、図６に示す掌側に、甲側外皮２の掌側を重ね合わせて縫製した状態を示している。図９（ｂ）は、図９（ａ）に示す状態を裏返した状態である。すなわち、図９に示す結合ユニットは、外観になるべき部分が内側に来ており、内側になるべき部分が外側に来ている。
【００４３】
そこで、図９の結合ユニットを内側が外側に、外側が内側になるようにひっくり返す作業を行う。この作業を行った後の結合ユニットは、図１０に示されており、ほぼ最終形態に近い状態のグローブとなる。
【００４４】
図１１は、人差し指部４、中指部５、薬指部６に挿入される補強用のフェルト芯を示しており、夫々、人差し指用フェルト芯２０、中指用フェルト芯２１、薬指用フェルト芯２２である。これらのフェルト芯２０，２１，２２は、甲側外皮２の内面側と、甲側内皮１４の外面側の間の隙間に挿入される。各フェルト芯２０，２１，２２には、紐を通すための穴２０ａ，２１ａ，２２ａが形成されており、図１に示すような紐９により一体結合される。
【００４５】
なお、従来はフェルト芯２０，２１，２２は、掌側外皮１と掌側内皮の間の空間に挿入されていたが、本考案では掌側内皮が存在しないため、上記のような場所に挿入している。
【００４６】
フェルト芯２０，２１，２２を結合した後は、各部を紐により結合することで製品としてのグローブが完成する。この工程については、従来と同じであるので説明を省略する。
【００４７】
＜パッチの別実施形態＞
図１４は、パッチ１１の別実施形態を示す図である。掌側外皮１の人差し指部形成領域１ａ、中指部形成領域１ｂ、薬指部形成領域１ｃに対応して、パッチ１１の第１領域１１ａ、第２領域１１ｂ、第３領域１１ｃが設けられている。図３等で説明した実施形態においては、人差し指部形成領域１ａ、中指部形成領域１ｂ、薬指部形成領域１ｃの幅Ｘａ，Ｘｂ，Ｘｃのほうが、第１領域１１ａ、第２領域１１ｂ、第３領域１１ｃの幅Ｗａ，Ｗｂ，Ｗｃよりも大きくなるように設定されていた。
【００４８】
図１４に示す実施形態では、逆に第１領域１１ａ、第２領域１１ｂ、第３領域１１ｃの幅Ｗａ，Ｗｂ，Ｗｃの方が、人差し指部形成領域１ａ、中指部形成領域１ｂ、薬指部形成領域１ｃの幅Ｘａ，Ｘｂ，Ｘｃよりも少し大きくなるようにパッチ１１が大きめに形成されている。
【００４９】
パッチ１１は、掌側外皮１に対して糸２３により縫製されるが、両幅部分は甲側外皮２に対して糸２４により縫製される。すなわち、甲側外皮２における人差し指部形成領域２Ａ、中指部形成領域２Ｂ、薬指部形成領域２Ｃと、パッチ１１の第１領域１１ａ、第２領域１１ｂ、第３領域１１ｃが糸２４により縫製される。
【００５０】
このようにパッチ１１を大きめに形成することで、グローブ全体のサイズを大きくすることなく、ポケットの大きさを大きくすることができる。すなわち、パッチ１１のみを大きくすることで、グローブの大きさに関係なくポケットを大きくできるという利点がある。
【００５１】
図１５（ａ）は、別実施形態にかかるパッチ１１の形状を示す平面図である。図１５（ｂ）は、パッチ１１が取り付けられる前のグローブの掌側の部分的な外観を示す図である。ここに示すパッチ１１において、第１領域１１ａ、第２領域１１ｂ、第３領域１１ｃは、切り込み１１ｆを形成することで領域が分けられる。この切り込み１１ｆの深さは任意に決めることができ、切り込み１１ｆの深さにより、受球面の柔軟性を調整することができる。すなわち、掌側外皮１の人差し指部形成領域１ａ、中指部形成領域１ｂ、薬指部形成領域１ｃの形状に合わせて切り込み１１ｆの長さを決める必要はなく、場合によっては、切り込み１１ｆをかなり短くすることも可能である。
【００５２】
また、切り込み１１ｆの長さを短くすればポケットを大きくすることができ、切り込み１１ｆの長さを長くすれば、ポケットは小さくなるが柔軟性が高くなる。
【００５３】
グローブの人差し指部形成領域１ａと中指部形成領域１ｂの付け根部、中指部形成領域１ｂと薬指部形成領域１ｃの付け根部をＰ１で示している。また、切り込み１１ｆの付け根部をＰ２で示している。付け根部Ｐ１と付け根部Ｐ２とは同じ位置である必要はなく、上記のように切り込み１１の長さの設定により、両者は異なる位置を取ることになる。また、切り込み１１ｆが形成されている箇所のパッチ１１は、甲側外皮２に対して糸で縫製することができる（図１４における糸２４と同様）。
【００５４】
＜掌側外皮及びパーツの別実施形態＞
図１６は、親指パーツ１２及び小指パーツ１３の別実施形態を示す図である。図１７は、図１６に示すパーツを使用する場合の掌側外皮１の形状を示す図である。親指パーツ１２は、図４の実施形態と比較すると、かなりサイズが小さくなっている。図４においては、手指が挿入される挿入口Ｅの掌側領域を親指パーツ１２により形成しているが、図１７においては、掌側外皮１の第３エリアにより挿入口Ｅの掌側領域が形成されている。ちなみに、挿入口Ｅの甲側領域はいずれの場合も甲側外皮２により形成される。
【００５５】
親指パーツ１２は糸２５により掌側外皮１に縫製される。図４と比較して分かるように、紐を結ぶための穴１２ａの数が少なくなっている。
【００５６】
小指パーツ１３の形状は、図４に示すものとほぼ同じであるが、掌側外皮１との結合は糸２６により行なわれ、紐を結ぶための穴１３ａの数は少なくなっている。パッチ１１と掌側外皮１の結合は、糸２７により行なわれる。なお、パッチ１１の結合は前述のように甲側外皮２に対して行う方法を採用してもよい。
【００５７】
図１８は、図１７の変形例を示すものであり、パッチ１１の受球面の大きさを大きくした例である。このように、パッチ１１の大きさは適宜変更することができる。
【００５８】
＜更に別の実施形態＞
本実施形態では、パッチ１１を掌側外皮１もしくは甲側外皮２に縫製することで取り付けているが、縫製に代えて接着剤などで貼り付けてもよい。また、縫製と接着剤を組み合わせた結合方法を採用してもよい。
【００５９】
図１２に示すように、パッチ１１に切り込み１１ｅを入れてもよい。これにより、屈曲性が向上し、捕球をしやすくなる。切り込み１１ｅを入れる方向については、操作性を考慮して適宜の方向に入れることができる。また、切り込みは、図１２に図示する形状以外にも、例えば、点（円）、長円、矩形など任意の形状にすることができ、競技者の好みに合った捕球領域をグローブに形成しやすくなる。
【００６０】
パッチ１１の形状については、図１２に示す形状に限定されるものではなく、種々の変形例が考えられる。図１３は、その変形例を示す図である。（ａ）（ｂ）（ｃ）は指部の長さを変えた例である。（ｄ）（ｅ）は切り込みの形状を図１２と異ならせた例である。（ｆ）は、指部の形状がない例である。
【図面の簡単な説明】
【００６１】
【図１】本実施形態にかかるグローブを掌側からみた外観図
【図２】本実施形態にかかるグローブを甲側からみた外観図
【図３】掌側外皮を外面側（受球面側）から見た平面図
【図４】掌側外皮の外面側に縫製される親指パーツと小指パーツとを示す平面図
【図５】図３に示す掌側外皮を内面側から見た平面図
【図６】掌側外皮に親指パーツと小指パーツと甲側内皮とを縫製した状態を示す外面側から見た平面図
【図７】図６に示す部材を内面側から見た平面図
【図８】甲側外皮を示す平面図
【図９】甲側外皮と掌側外皮ユニットを合体した状態を示す図
【図１０】合体ユニットを表裏ひっくり返した状態を示す図
【図１１】フェルト芯の構成を示す図
【図１２】パッチの別実施形態を示す図
【図１３】パッチの別実施形態を示す図
【図１４】別実施形態に係るパッチを使用したグローブを掌側からみた外観図
【図１５】別実施形態に係るパッチの平面図
【図１６】親指パーツ及び小指パーツの別実施形態を示す図
【図１７】図１６に示すパーツを使用する場合の掌側外皮の形状を示す図
【図１８】図１７の変形例を示す図
【図１９】従来技術に係るグローブの構成を示す図
【符号の説明】
【００６２】
１        掌側外皮
１ａ      人差し指部形成領域
１ｂ      中指部形成領域
１ｃ      薬指部形成領域
１ｅ      親指部形成領域
１ｆ      小指部形成領域
２        甲側外皮
２Ａ      中指部形成領域
２Ｂ      薬指部形成領域
２Ｃ      親指部形成領域
３        親指部
４        人差し指部
５        中指部
６        薬指部
７        小指部
８        ウェブ
１０      受球面
１１      パッチ
１１ａ    第１領域
１１ｂ    第２領域
１１ｃ    第３領域
１１ｅ    切り込み
１１ｆ    切り込み
１２      親指パーツ
１３      小指パーツ
１４      甲側内皮
２０      人差し指用フェルト芯
２１      中指用フェルト芯
２２      薬指用フェルト芯
２３      糸
２４      糸
【図１】
0003137696.tif 000003
【図２】
0003137696.tif 000004
【図３】
0003137696.tif 000005
【図４】
0003137696.tif 000006
【図５】
0003137696.tif 000007
【図６】
0003137696.tif 000008
【図７】
0003137696.tif 000009
【図８】
0003137696.tif 000010
【図９】
0003137696.tif 000011
【図１０】
0003137696.tif 000012
【図１１】
0003137696.tif 000013
【図１２】
0003137696.tif 000014
【図１３】
0003137696.tif 000015
【図１４】
0003137696.tif 000016
【図１５】
0003137696.tif 000017
【図１６】
0003137696.tif 000018
【図１７】
0003137696.tif 000019
【図１８】
0003137696.tif 000020
【図１９】
0003137696.tif 000021